(57)【特許請求の範囲】
【請求項１】
電線の端末に接続された略丸形の大型端子と、
電線の端末に接続された小型端子と、
前記大型端子が挿入される略円形断面の大型キャビティが少なくとも２個並んで設けられるとともに、隣り合う両大型キャビティの間の位置で且つ前記両大型キャビティに対してその並び方向と直交する方向について中心をずらした位置に前記小型端子が挿入される小型キャビティが設けられたコネクタハウジングとを備え、
前記コネクタハウジングのうち、前記大型キャビティを取り囲む大型キャビティ周壁と、前記小型キャビティを取り囲む小型キャビティ周壁とが互いに連結されており、
前記大型キャビティ周壁のうち、前記電線の引き出し側端部であって前記小型キャビティ側とは反対側部分には、前記電線の屈曲を許容する切り欠きが形成されているコネクタ。
【請求項２】
前記大型キャビティの内面のうち前記小型キャビティ側には、挿入される前記大型端子に弾性的に係止して抜け止めする大型端子用ランスが設けられるとともに、隣り合う両大型端子用ランスの間に前記小型キャビティの一部が配されている請求項１記載のコネクタ。
【請求項３】
前記小型キャビティの内面のうち前記大型キャビティ側には、挿入される前記小型端子に弾性的に係止して抜け止めする小型端子用ランスが設けられるとともに、その撓み変形を許容する撓み空間が隣り合う前記両大型キャビティの間に配されている請求項２記載のコネクタ。
【請求項４】
前記コネクタハウジングには、前記各キャビティの軸方向と交差する方向から前記各端子を抜け止めするためのリテーナが装着され、このリテーナには、前記大型キャビティ内に進入して前記大型端子に係止される大型端子用係止部と、前記小型キャビティ内に進入して前記小型端子に係止される小型端子用係止部とが備えられており、
前記リテーナにおいて前記大型端子用係止部と前記小型端子用係止部とが前記各キャビティの軸方向についてずれて配置されるとともに、前記大型端子用係止部と前記小型端子用係止部とにおける前記コネクタハウジングに対する装着方向の手前側端部同士が補強部によって互いに連結されている請求項１ないし請求項３のいずれか１項に記載のコネクタ。
【請求項５】
前記大型端子に接続される電線が、内部導体の外側に外部導体が同心状に配されたシールド電線とされ、前記大型端子が、前記シールド電線の外部導体に接続される外部導体接続部を備え、さらには前記コネクタハウジングには、前記外部導体接続部に対して接触可能な端子接触片を備えたアース端子が装着されるようになっており、
前記大型キャビティ周壁のうち、前記小型キャビティ側とは反対側部分には、前記端子接触片が前記大型キャビティ内に進入するのを許容する端子接触片挿通溝が設けられている請求項１ないし請求項４のいずれか１項に記載のコネクタ。
【発明の詳細な説明】
【技術分野】
【０００１】
本発明は、単一のコネクタハウジングに大小２種類の端子金具が装着されたコネクタに関する。
【背景技術】
【０００２】
従来、大小２種類の端子金具が装着されたコネクタの一例として下記特許文献１に記載されたものが知られている。このものは、シールド電線の端末に接続された２本の大型端子と、被覆電線の端末に接続された１本の小型端子とがハウジング１内に挿入されるようになっており、ハウジング１には、図３４に示すように、大型端子に対応した２個の大型キャビティ２と、小型端子に対応した１個の小型キャビティ３とが幅方向に並んで配置されている。
【特許文献１】特開２０００−２１４８６公報
【発明の開示】
【発明が解決しようとする課題】
【０００３】
ところが、上記したハウジング１では、大小の各キャビティ２，３が幅方向に沿って一列に並ぶ配置となっているため、幅方向についてコネクタが大型化していた。
【０００４】
本発明は上記のような事情に基づいて完成されたものであって、小型化を図ることを目的とする。
【課題を解決するための手段】
【０００５】
本発明のコネクタは、電線の端末に接続された略丸形の大型端子と、電線の端末に接続された小型端子と、前記大型端子が挿入される略円形断面の大型キャビティが少なくとも２個並んで設けられるとともに、隣り合う両大型キャビティの間の位置で且つ前記両大型キャビティに対してその並び方向と直交する方向について中心をずらした位置に前記小型端子が挿入される小型キャビティが設けられたコネクタハウジングとを備え、前記コネクタハウジングのうち、前記大型キャビティを取り囲む大型キャビティ周壁と、前記小型キャビティを取り囲む小型キャビティ周壁とが互いに連結されており、前記大型キャビティ周壁のうち、前記電線の引き出し側端部であって前記小型キャビティ側とは反対側部分には、前記電線の屈曲を許容する切り欠きが形成されている。
【０００６】
このようにすれば、両大型キャビティが略円形断面とされているので、隣り合う両大型キャビティの間のスペースは、大型キャビティの中心位置から並び方向と直交する方向に離れるほど広くなる。そのスペースを利用して小型キャビティが設置されているから、仮に各キャビティを一列に並ぶ配置とした場合と比べると、大型キャビティの並び方向についてコネクタハウジングを小型にすることができる。
また、このようにすれば、大型端子に接続された電線が屈曲されたときでも切り欠きによってその電線が大型キャビティ周壁に干渉し難くなる。一方、大型キャビティ周壁のうち小型キャビティ周壁と連結される部分については従前通り確保されるから、コネクタハウジングの強度を十分に確保することができる。
【０００７】
本発明の実施態様として、次の構成が好ましい。
（１）前記大型キャビティの内面のうち前記小型キャビティ側には、挿入される前記大型端子に弾性的に係止して抜け止めする大型端子用ランスが設けられるとともに、隣り合う両大型端子用ランスの間に前記小型キャビティの一部が配される構成とする。このようにすれば、隣り合う両大型キャビティの間のスペースに小型キャビティが収まりきらない場合でも、隣り合う両大型端子用ランスの間のスペースを利用して小型キャビティの一部を設置できるから、小型化に一層好適となる。
【０００８】
（２）前記小型キャビティの内面のうち前記大型キャビティ側には、挿入される前記小型端子に弾性的に係止して抜け止めする小型端子用ランスが設けられるとともに、その撓み変形を許容する撓み空間が隣り合う前記両大型キャビティの間に配される構成とする。このようにすれば、隣り合う両大型キャビティの間のスペースを利用して小型端子用ランスの撓み空間を設置できるから、小型化にさらに好適となる。
【０００９】
（３）前記コネクタハウジングには、前記各キャビティの軸方向と交差する方向から前記各端子を抜け止めするためのリテーナが装着され、このリテーナには、前記大型キャビティ内に進入して前記大型端子に係止される大型端子用係止部と、前記小型キャビティ内に進入して前記小型端子に係止される小型端子用係止部とが備えられており、前記リテーナにおいて前記大型端子用係止部と前記小型端子用係止部とが前記各キャビティの軸方向についてずれて配置されるとともに、前記大型端子用係止部と前記小型端子用係止部とにおける前記コネクタハウジングに対する装着方向の手前側端部同士が補強部によって互いに連結される構成とする。このようにすれば、各キャビティの軸方向についてずれて配置される大型端子用係止部と小型端子用係止部とが補強部によって互いに連結されるから、リテーナの強度を高く保つことができる。
【００１１】
（５）前記大型端子に接続される電線が、内部導体の外側に外部導体が同心状に配されたシールド電線とされ、前記大型端子が、前記シールド電線の外部導体に接続される外部導体接続部を備え、さらには前記コネクタハウジングには、前記外部導体接続部に対して接触可能な端子接触片を備えたアース端子が装着されるようになっており、前記大型キャビティ周壁のうち、前記小型キャビティ側とは反対側部分には、前記端子接触片が前記大型キャビティ内に進入するのを許容する端子接触片挿通溝が設けられる構成とする。このようにすれば、大型キャビティ周壁のうち、小型キャビティ側とは反対側部分に端子接触片挿通溝及び切り欠きが設けられているから、シールド電線が屈曲されたときに切り欠きによって逃がされ、もってシールド電線が端子接触片挿通溝の溝縁に食い込むような事態を極力回避することができる。
【発明の効果】
【００１２】
本発明によれば、小型化を図ることができる。
【発明を実施するための最良の形態】
【００１３】
＜実施形態１＞
本発明の実施形態１を図１ないし図２５によって説明する。本実施形態では、自動車のボディ（図示せず）に固定されたブラケットＢに取り付けられる雄型のコネクタ１０を示す。なお以下では、上下方向（高さ方向）については図６及び図９などを基準とする。
【００１４】
＜ブラケット＞
先に、コネクタ１０が取り付けられるブラケットＢについて説明する。ブラケットＢは、導電性を有する金属製とされ、図８に示すように、ボディとの固定箇所から片持ち状に延びる横長な板状をなしている。ブラケットＢにおける先端部近くの幅方向中央位置には、厚さ方向に貫通するロック孔Ｂａが設けられている。また、ブラケットＢの先端部には、コネクタ１０の取り付けをスムーズにするため全周にわたって面取りが施されている。
【００１５】
＜コネクタの概略＞
次に、ブラケットＢに取り付けられるコネクタ１０について説明する。コネクタ１０は、図９及び図１０に示すように、コネクタハウジング１１（以下、単にハウジング１１という）と、シールド電線ＳＷの端末に接続された雄型の大型端子１２と、被覆電線Ｗの端末に接続され上記大型端子１２と比べて外形が小さな雄型の小型端子１３と、各端子１２，１３を抜け止めするためのリテーナ１４と、大型端子１２の一部とブラケットＢとを電気的に接続するためのアース端子１５とを備えている。なお以下では、ハウジング１１に対する各端子１２，１３の挿入方向を前方、その逆側（各電線ＳＷ，Ｗの引き出し方向）を後方とする。
【００１６】
＜大型端子＞
大型端子１２が接続されるシールド電線ＳＷは、軸心側から順に、内部導体ＳＷ１（芯線）、内部絶縁層ＳＷ２、外部導体ＳＷ３（編組線）、外部被覆ＳＷ４を同心状に備える既知の構造とされる。このうち、内部導体ＳＷ１は、自動車の電気回路の信号線を構成し、外部導体ＳＷ３は、同電気回路のアース線を構成する。大型端子１２は、図１に示すように、正面（前方）から見て全体が略丸形（略円形）をなしており、導電性を有する金属製とされる。大型端子１２は、図９に示すように、シールド電線ＳＷのうち内部導体ＳＷ１に対して接続される内部導体接続部１２ａと、内部導体接続部１２ａの外側に配され外部導体ＳＷ３に対して接続される外部導体接続部１２ｂと、内部導体接続部１２ａと外部導体接続部１２ｂとの間に介在して両者１２ａ，１２ｂを絶縁状態に保つための絶縁体１２ｃとを備える。大型端子１２の最外部である外部導体接続部１２ｂは、円筒型をなすとともに内部導体接続部１２ａの外側を全周にわたって取り囲む本体部１２ｂ１と、シールド電線ＳＷの端末において露出した外部導体ＳＷ３に圧着接続される電線接続部１２ｂ２とを前後に繋げた構成とされる。
【００１７】
本体部１２ｂ１の後端部には、本体部１２ｂ１及び電線接続部１２ｂ２に連なる底板側とは反対側（下側）に本体部１２ｂ１を開放する形態でスタビライザ１６が一対設けられている。スタビライザ１６は、本体部１２ｂ１の後端部における開放部分を挟んだ位置に一対対向状に配され、上下方向に沿って下方へ突出する板片状をなしている。このスタビライザ１６の後端面には、後述するリテーナ１４が係止可能とされ、ここがリテーナ係止部を兼用している。本体部１２ｂ１における上記開放部分の前縁には、ランス係止部１７が設けられており、このランス係止部１７は、本体部１２ｂ１から下方（径方向外側）へ突出するよう叩き出されている。本体部１２ｂ１のうちランス係止部１７とは約９０度の角度間隔を空けた位置には、一対の突起１８が外側へ突出するようそれぞれ切り起こして形成されている。また、電線接続部１２ｂ２は、前後に一対ずつかしめ片を備えている。また、内部導体接続部１２ａは、絶縁体１２ｃから外部導体接続部１２ｂの本体部１２ｂ１内に突き出すタブを備えており、このタブがコネクタ１０と嵌合される図示しない雌型のコネクタの大型端子と導通接触可能とされる。
【００１８】
＜小型端子＞
小型端子１３が接続される被覆電線Ｗは、芯線の周りを被覆で覆った既知の構造とされる。小型端子１３は、図２に示すように、正面（前方）から見て全体が縦長な略四角形（略矩形状、略角形）をなしており、導電性を有する金属製とされる。小型端子１３は、図１０に示すように、前後方向に沿って細長い略角筒状をなす本体部１３ａと、本体部１３ａから前方へ延出するタブ１３ｂと、本体部１３ａから後方へ延出する電線接続部１３ｃとから構成される。
【００１９】
本体部１３ａのうち電線接続部１３ｃに連なる底板とは反対側（下側）の外壁における後端部には、スタビライザ１９が設けられている。スタビライザ１９は、外壁の端部から下方、すなわち大型端子１２のスタビライザ１６と同方向へ突出する板片状をなしている。スタビライザ１９が設置された外壁における前端部には、ランス係止部２０が設けられている。ランス係止部２０は、外壁の中央部に形成した切り欠きの前縁を叩き出すことで、下方、すなわち大型端子１２のランス係止部１７と同方向へ突出する突起状に形成されている。本体部１３ａの後端部における底壁とは反対側（外壁の後端部を含む）には、段付き状をなすとともに後述するリテーナ１４が係止可能なリテーナ係止部２１が設けられている。また、電線接続部１３ｃは、前後に一対ずつかしめ片を備えている。また、タブ１３ｂには、図示しない雌型のコネクタの小型端子と導通接触可能とされる。
【００２０】
＜アース端子＞
アース端子１５は、導電性を有する金属製とされ、図３ないし図５に示すように、水平方向に沿った基板１５ａと、基板１５ａを部分的に切り起こしてなる一対の端子接触片１５ｂと、基板１５ａの側縁から下方へ屈曲されて上下方向に沿った側板１５ｃと、側板１５ｃから延出されるブラケット接触片１５ｄとから構成されている。このうち、各端子接触片１５ｂが対応する大型端子１２の外部導体用端子１２ｂに、ブラケット接触片１５ｄがブラケットＢにそれぞれ弾性接触可能とされる。また、アース端子１５は、基板１５ａと側板１５ｃとにより正面から見て略Ｌ字型をなしている。
【００２１】
基板１５ａは、平面視矩形状をなしており、その中央部分には、ハウジング１１に対して係止可能な抜け止め片が切り起こし形成されている。端子接触片１５ｂは、基板１５ａに前方へ開口する一対のスリットを入れるとともに、両スリット間の部分をさらに前方へ延出させてなる板片を折り曲げることで、片持ち状に形成されている。端子接触片１５ｂは、基板１５ａから下方（側板１５ｃと同方向）に突出するよう斜めに立ち上げられてから基板１５ａの前端位置で基板１５ａ側へ折り返されており、その折り返し部が大型端子１２との接点部となっている。端子接触片１５ｂは、基端部を支点として上下方向（大型端子１２の挿入方向と直交する方向）に沿って弾性変形可能とされている。側板１５ｃは、基板１５ａの側縁における後端部から突出する板片をほぼ直角に屈曲させてなる。ブラケット接触片１５ｄは、端子接触片１５ｂと同様に後端側が基端、前端側が自由端とされる片持ち状に形成され、基端を支点に幅方向（ブラケットＢの挿入方向と直交する方向）に沿って弾性変形可能とされる。ブラケット接触片１５ｄは、側板１５ｃから基板１５ａ側とは反対側に突出するよう立ち上げられて途中に頂点を有する、なだらかな略山形をなしており、その頂点部分が接点部とされる。
【００２２】
＜ハウジング＞
ハウジング１１は、合成樹脂製とされ、図６及び図７に示すように、大まかには、各端子１２，１３及びアース端子１５が収容される端子収容部２２と、図示しない相手の雌型のコネクタが嵌合されるフード部２３と、ブラケットＢが取り付けられるブラケット取付部２４とを備える。フード部２３は、端子収容部２２から前方へ突出するとともに前方へ開口する略角筒状に形成されており、その内部に前方から相手となる雌型のコネクタを嵌合可能な嵌合空間が確保されている。端子収容部２２及びフード部２３の上面側には、雌型のコネクタを嵌合状態に保持するためのロックアーム２５と、ロックアーム２５の両側方位置に対向して配されるとともにロックアーム２５を保護する一対のロック保護部２６とが設けられている。
【００２３】
＜大型キャビティ及び小型キャビティ＞
端子収容部２２は、略ブロック状に形成されている。この端子収容部２２には、大型端子１２が収容される大型キャビティ２７が２個、小型端子１３が収容される小型キャビティ２８が１個、それぞれ設けられている。各キャビティ２７，２８は、端子収容部２２を前後に貫通して形成され、対応する各端子１２，１３を後方から個別に挿入可能とされる。大型キャビティ２７は、その断面形状が大型端子１２の外形に合わせて略円形（略丸形）とされている。一方、小型キャビティ２８は、その断面形状が小型端子１３の外形に合わせて縦長な略四角形（略矩形状、略角形）とされ、その外形寸法が大型キャビティ２７と比べて小さくなっている。
【００２４】
大型キャビティ２７は、端子収容部２２における上段側に２個幅方向に並んで形成されている。幅方向に並んだ両大型キャビティ２７の間のスペースは、両大型キャビティ２７が略円形断面とされているので、大型キャビティ２７の中心位置Ｃにおいて最も狭く、そこから上下に離れるほど広くなる傾向にある。そして、両大型キャビティ２７の間のスペースのうち、中心位置Ｃよりも広い領域を利用して小型キャビティ２８が設置されている。詳しくは、小型キャビティ２８は、端子収容部２２における下段側に形成され、その配置は隣り合う両大型キャビティ２７の間の位置で且つ両大型キャビティ２７の中心位置Ｃから下方、つまり大型キャビティ２７の並び方向と直交する方向にずれた位置とされる。
【００２５】
＜大型端子用ランス及びスタビライザ挿通溝＞
大型キャビティ２７の内面における下側、つまり小型キャビティ２８側には、図９に示すように、大型端子１２に弾性的に係止してこれを抜け止め可能な大型端子用ランス２９が設けられている。大型端子用ランス２９は、大型キャビティ２７の内面下部の前端部における幅方向中央位置に設置され、片持ち状をなすとともに上下方向（大型端子１２の挿入方向と交差する方向）に沿って下方へ弾性変形可能とされる。大型端子用ランス２９の下側（撓み方向側）には、その撓み変形を許容する撓み空間３０が確保されており、さらにその撓み空間３０の下側には、大型端子用ランス２９が弾性限度を超えて撓み変形する手前の段階で大型端子用ランス２９に係合して過度撓みを規制する過度撓み規制部３１が形成されている。大型端子用ランス２９の幅寸法は、大型キャビティ２７の外径寸法よりも小さく設定されている。大型キャビティ２７の内面下部における大型端子用ランス２９の両側方には、大型端子１２の一部であるスタビライザ１６を挿通可能なスタビライザ挿通溝３２が一対形成されている。このスタビライザ挿通溝３２は、大型キャビティ２７の一部を構成するものであり、大型端子用ランス２９を挟んだ位置に幅方向に並んで配置されている。大型端子用ランス２９の下面は、スタビライザ挿通溝３２の下面よりも低い位置にあり、撓み空間３０及び過度撓み規制部３１はさらに低い位置にある。大型端子用ランス２９の幅寸法と、両スタビライザ挿通溝３２の幅寸法とを足し合わせた寸法は、大型キャビティ２７の外径寸法よりも小さくなっている。
【００２６】
＜小型端子用ランス及びスタビライザ挿通溝＞
小型キャビティ２８の内面における下側（大型キャビティ２７側とは反対側）には、図１０に示すように、小型端子１３に弾性的に係止してこれを抜け止め可能な小型端子用ランス３３が設けられている。小型端子用ランス３３は、小型キャビティ２８の内面下部を部分的に切り欠くことで、両持ち状をなすとともに上下方向（小型端子１３の挿入方向と交差する方向）に沿って下方へ弾性変形可能とされる。小型端子用ランス３３の下側（撓み方向側）には、その撓み変形を許容する撓み空間３４が確保されており、さらにその撓み空間３４の下側には、小型端子用ランス３３が弾性限度を超えて撓み変形する手前の段階で小型端子用ランス３３に係合して過度撓みを規制する過度撓み規制部３５が形成されている。小型端子用ランス３３の幅寸法は、小型キャビティ２８の外径寸法よりも小さく設定されている。小型キャビティ２８の内面下部における小型端子用ランス３３の一側方には、小型端子１３の一部であるスタビライザ１９を挿通可能なスタビライザ挿通溝３６が形成されている。このスタビライザ挿通溝３６は、小型キャビティ２８の一部を構成するものであり、小型キャビティ２８の下面における図７に示す左側隅部に配されている。
【００２７】
＜小型キャビティの詳しい配置＞
小型キャビティ２８は、図６及び図７に示すように、両大型キャビティ２７のスタビライザ挿通溝３２と上下方向について重なる配置となっている。詳しくは、小型キャビティ２８の上端部が両大型キャビティ２７のスタビライザ挿通溝３２の下端部と幅方向について隣り合う位置関係にある。しかも、小型キャビティ２８は、両大型キャビティ２７における内寄り（端子収容部２２における中央寄り）のスタビライザ挿通溝３２の間に挟まれて配されるとともに、両大型キャビティ２７における内寄りの側端部と幅方向に重なる配置となっている。このように、小型キャビティ２８は、部分的に両大型キャビティ２７と上下方向及び幅方向について重なる位置に配されており、その重なった分だけ端子収容部２２の小型化に寄与している。言い換えると、小型キャビティ２８は、両大型キャビティ２７の間のスペースのうち最も狭くなる中心位置Ｃを避けた位置に配されている。さらには、小型キャビティ２８のうち、大型キャビティ２７のスタビライザ挿通溝３２よりも下方へ突出する部分、つまり両大型キャビティ２７の間のスペースに収まりきらない部分は、幅方向について隣り合う両大型端子用ランス２９及び両撓み空間３０の間に配されており、これらと上下方向について重なる位置関係にある。つまり、両大型端子用ランス２９及び両撓み空間３０の間のスペースを利用して小型キャビティ２８の一部を設置することができ、小型化に一層好適となる。
【００２８】
＜大型キャビティ周壁及び小型キャビティ周壁＞
大型キャビティ２７及び小型キャビティ２８は、端子収容部２２の全長にわたって形成されており、互いの長さ寸法が同じになっている。端子収容部２２のうち、大型キャビティ２７を取り囲む大型キャビティ周壁３７は、互いに対向する部分（端子収容部２２における中央側部分）同士がほぼ全長にわたって連結されている。さらには両大型キャビティ周壁３７と、小型キャビティ２８を取り囲む小型キャビティ周壁３８との対向部分同士についてもほぼ全長にわたって連結されている。そして、両大型キャビティ周壁３７のうち、後端部（シールド電線ＳＷの引き出し側端部）における上側部分（小型キャビティ２８側とは反対側部分）には、図７及び図９に示すように、シールド電線ＳＷの屈曲を許容する切り欠き３９が形成されている。切り欠き３９は、両大型キャビティ周壁３７を含む端子収容部２２の上端部に全幅にわたって形成されている。切り欠き３９によって両大型キャビティ周壁３７の上側略半分が除去されているので、大型キャビティ２７から引き出されたシールド電線ＳＷを上向きに屈曲し易くなっている。一方、両大型キャビティ周壁３７のうち小型キャビティ周壁３８と連結される下側略半分については残されているので、大型キャビティ周壁３７と比較して薄肉な小型キャビティ周壁３８の強度を十分確保することができる。
【００２９】
＜ブラケット取付部＞
ブラケット取付部２４は、図８に示すように、ハウジング１１のうち、高さ方向に沿った側面に設置されており、そこに取り付けられるブラケットＢは、その板面を上下方向と一致させた姿勢となる。ブラケット取付部２４は、後方へ開放する袋状に形成されており、その内部空間が後方からブラケットＢを挿入可能なブラケット収容室２４ａとなっている。ブラケット取付部２４には、挿入されるブラケットＢのロック孔Ｂａに係止して抜け止め状態に保持可能な片持ち状のブラケットロック片２４ｂが設けられている。
【００３０】
＜アース端子取付溝＞
端子収容部２２には、図７に示すように、アース端子１５を取り付けるためのアース端子取付溝４０が設けられている。アース端子取付溝４０は、端子収容部２２において後方へ開口する溝状に形成され、アース端子１５の外形に合わせて後方から見て略Ｌ字型をなしており、幅方向に沿って延びるとともに基板１５ａが収容される基板収容部分４０ａと、上下方向に沿って延びるとともに側板１５ｃが収容される側板収容部分４０ｂとを繋げた構成とされる。端子収容部２２において基板収容部分４０ａは、両大型キャビティ２７の上側（小型キャビティ２８とは反対側）に配され、側板収容部分４０ｂは、図７に示す右側の大型キャビティ２７とブラケット収容室２４ａとの間に配されている。
【００３１】
＜端子接触片挿通溝及びブラケット接触片挿通溝＞
端子収容部２２のうち、アース端子取付溝４０の基板収容部分４０ａと隣接する両大型キャビティ２７との間（大型キャビティ周壁３７）には、両者４０ａ，２７を連通するとともに端子接触片１５ｂの大型キャビティ２７内への進入を許容する一対の端子接触片挿通溝４１がそれぞれ後方へ開口して設けられている。基板収容部分４０ａ及び両端子接触片挿通溝４１は、大型キャビティ周壁３７のうち切り欠き３９が形成された上側略半分に設置されており、両大型端子用ランス２９と対向する位置に配されている。一方、端子収容部２２のうち、アース端子取付溝４０の側板収容部分４０ｂとブラケット収容室２４ａとの間には、両者４０ｂ，２８を連通するとともにブラケット接触片１５ｄのブラケット収容室２４ａ内への進入を許容するブラケット接触片挿通溝４２が後方へ開口して設けられている。
【００３２】
＜リテーナ取付孔＞
端子収容部２２における下面側には、図９，図１０及び図１７に示すように、リテーナ１４を取り付けるためのリテーナ取付孔４３が開口して設けられている。リテーナ取付孔４３は、端子収容部２２のうち両大型キャビティ周壁３７及び小型キャビティ周壁３８の下側部分を除去することで形成され、両大型キャビティ２７及び小型キャビティ２８に連通して形成されている。リテーナ取付孔４３は、各キャビティ２７，２８の下面のうち各ランス２９，３３よりも後側位置にて開口している。またリテーナ取付孔４３は、次述するリテーナ１４の外形に合わせた形状となっている。
【００３３】
リテーナ取付孔４３は、幅方向について両大型キャビティ２７のさらに外側に至る範囲に形成されており、その両側端部における周縁には、図１７に示すように、リテーナ１４を取付状態に保持するための第１リテーナ保持部４３ａ及び第２リテーナ保持部４３ｂがそれぞれ設けられている。第１リテーナ保持部４３ａは、リテーナ取付孔４３の側端部における後縁に設置されるのに対し、第２リテーナ保持部４３ｂは、同前縁にて第１リテーナ保持部４３ａよりも高い位置に設置されている。
【００３４】
＜リテーナ＞
リテーナ１４は、合成樹脂製とされ、図９ないし図１３に示すように、横長な基部１４ａと、基部１４ａの幅方向中央から上方（ハウジング１１に対する装着方向の奥側）へ突出する小型端子用係止部１４ｂと、基部１４ａにおける小型端子用係止部１４ｂを挟んだ位置からそれぞれ上方へ突出する大型端子用係止部１４ｃとを備える。
【００３５】
小型端子用係止部１４ｂは、リテーナ１４がハウジング１１に装着されたときに小型キャビティ２８内に進入して小型端子１３のリテーナ係止部２１に係止可能とされる。一方、大型端子用係止部１４ｃは、リテーナ１４がハウジング１１に装着されたときに各大型キャビティ２７（スタビライザ挿通溝３２）内に進入して各大型端子１２の両スタビライザ１６に係止可能とされる。大型端子用係止部１４ｃは、基部１４ａにおいて幅方向について各大型端子１２の両スタビライザ１６に対応する位置に一対ずつ配置されている。大型端子用係止部１４ｃは、縦長な板状をなすとともに、小型端子用係止部１４ｂよりも上方へ突出している。対となる両大型端子用係止部１４ｃ間の間隔は、大型端子１２における両スタビライザ１６間の間隔とほぼ一致している。また、対となる両大型端子用係止部１４ｃにおける前端部同士は、連結部１４ｄによって連結されることで、補強が図られている。この連結部１４ｄは、大型端子用係止部１４ｃのうちスタビライザ１６に係止される先端部を除いた領域を連結するとともに基部１４ａにも連結されている。
【００３６】
小型端子用係止部１４ｂは、基部１４ａにおける後端部に設置されているのに対し、大型端子用係止部１４ｃは、基部１４ａにおける前端部に設置されている。小型端子用係止部１４ｂの前端部と両大型端子用係止部１４ｃの後端部とは、僅かに直接繋がっているものの、小型端子用係止部１４ｂと両大型端子用係止部１４ｃとは、前後（各キャビティ２７，２８の軸方向）にずれた位置関係にある。そして、小型端子用係止部１４ｂと両大型端子用係止部１４ｃとは、その下端部（ハウジング１１に対する装着方向の手前側端部）同士が基部１４ａによって互いに連結されている。つまり、基部１４ａは、互いに前後にずれていて僅かな部分でしか互いに繋がっていない小型端子用係止部１４ｂと両大型端子用係止部１４ｃとを連結して補強する、補強部として機能していると言える。
【００３７】
基部１４ａの前半部分における両側端部には、さらに側方へ突出する張出部１４ｅが設けられている。張出部１４ｅは、基部１４ａよりも前方へ突出している。そして、張出部１４ｅからは、ハウジング１１に対する保持構造を構成する第１保持アーム１４ｆ及び第２保持アーム１４ｇが上方へ突出して設けられている。第１保持アーム１４ｆは、張出部１４ｅにおける後端部に設置されるのに対し、第２保持アーム１４ｇは、張出部１４ｅにおける前端部に設置されている。両保持アーム１４ｆ，１４ｇの先端部には、係止爪がそれぞれ設けられている。
【００３８】
このリテーナ１４は、ハウジング１１に装着されると、上下に異なる２位置に選択的に保持可能とされる。詳しくは、リテーナ１４がリテーナ取付孔４３内に取り付けられ、図１７に示すように、第１保持アーム１４ｆが第１リテーナ保持部４３ａに係止した状態では、図１４ないし図１６に示すように、各係止部１４ｂ，１４ｃが各キャビティ２７，２８の下方に退避していて各キャビティ２７，２８に対する各端子１２，１３の挿抜が可能とされる。この取付位置が仮係止位置とされ、リテーナ１４の下面がハウジング１１の下面から下方に突出している。一方、図２３に示すように、第２保持アーム１４ｇが第２リテーナ保持部４３ｂに係止した状態では、図２０ないし図２２に示すように、各キャビティ２７，２８が各キャビティ２７，２８内に進入して各端子１２，１３に係止してこれらを抜け止め可能とされる。この取付位置が本係止位置とされ、リテーナ１４の下面がハウジング１１の下面と略面一状をなす。
【００３９】
＜アース端子及びリテーナの取付作業＞
本実施形態は以上のような構造であり、続いてその作用を説明する。まず、図１４及び図１５に示すように、ハウジング１１におけるアース端子取付溝４０にアース端子１５を取り付ける作業を行う一方、リテーナ１４をハウジング１１に対して仮係止位置に装着する作業を行う。アース端子１５を取り付けると、抜け止め片がアース端子取付溝４０の周縁に食い込むことでその抜け止めが図られ、両端子接触片１５ｂが端子接触片挿通溝４１を通って両大型キャビティ２７内に進入するとともに、ブラケット接触片１５ｄがブラケット接触片挿通溝４２を通ってブラケット収容室２４ａ内に進入する（図２４）。
【００４０】
＜小型端子の取付作業＞
次に、シールド電線ＳＷの端末に接続した両大型端子１２と、被覆電線Ｗの端末に接続した小型端子１３とをハウジング１１に収容する作業を行う。図１５に示すように、小型端子１３における底板を上側に向け、スタビライザ１９を下側に向けた姿勢で、小型端子１３を小型キャビティ２８内に後方から挿入すると、スタビライザ１９がスタビライザ挿通溝３６に挿通されることで、挿入動作が案内されて作業が円滑に進行する。なお、小型端子１３の姿勢（周方向の向き）が正規とは異なる姿勢だった場合には、スタビライザ１９がスタビライザ挿通溝３６と整合せず、スタビライザ１９が小型キャビティ周壁３８の後端に突き当たることで、誤った姿勢での挿入が防がれる。
【００４１】
小型端子１３が小型キャビティ２８内に所定深さまで挿入されると、小型端子１３によって小型端子用ランス３３が一旦下方に撓み変形されて撓み空間３４内に進入する。そして、小型端子１３が正規深さまで挿入されると、図１９に示すように、小型端子用ランス３３が復元するとともにランス係止部２０に係止されることで、小型端子１３の一次係止が図られる。このとき、小型端子１３は、そのタブ１３ｂが端子収容部２２から前方へ突き出し、フード部２３内に配される。
【００４２】
＜大型端子の取付作業＞
一方、図１４に示すように、大型端子１２の外部導体接続部１２ｂの底板を上側に向け、両スタビライザ１６を下側に向けた姿勢で大型端子１２を大型キャビティ２７内に後方から挿入すると、両スタビライザ１６が両スタビライザ挿通溝３２に挿通されることで、挿入動作が案内されて作業が円滑に進行する。なお、大型端子１２の姿勢が正規とは異なっていた場合には、小型端子１３と同様に両スタビライザ１６によって誤挿入が防止される。大型端子１２が大型キャビティ２７内に所定深さまで挿入されると、大型端子１２によって大型端子用ランス２９が一旦下方に撓み変形されて撓み空間３０内に進入する。そして、大型端子１２が正規深さまで挿入されると、図１８に示すように、大型端子用ランス２９が復元するとともにランス係止部１７に係止されることで、大型端子１２の一次係止が図られる。この挿入状態では、大型端子１２の外部導体用接続部のうちランス係止部１７とは反対側の上部に対して、大型キャビティ２７内にて待ち受けていたアース端子１５の端子接触片１５ｂが弾性接触される。また、大型端子１２は、本体部１２ｂ１のうちスタビライザ１６よりも前側部分が端子収容部２２から前方へ突き出し、フード部２３内に配される。
【００４３】
＜リテーナの移動作業＞
全ての端子１２，１３を対応する各キャビティ２７，２８内に挿入し終えたら、続いてリテーナ１４を仮係止位置から本係止位置へ移動させる作業を行う。図１７に示す仮係止位置からリテーナ１４を上方へ押し込むと、第１リテーナ保持部４３ａに対する第１保持アーム１４ｆの係止状態が解除されてリテーナ１４が上方へ移動し、図２３に示すように、本係止位置に達したところで、第２保持アーム１４ｇが第２リテーナ保持部４３ｂに係止されることで、リテーナ１４が本係止位置に保持される。このとき、小型端子用係止部１４ｂは、図２１に示すように、小型キャビティ２８内に進入するとともに、小型端子１３におけるリテーナ係止部２１の後端面に対して係止されることで、小型端子１３の二次係止が図られる。一方、両大型端子用係止部１４ｃは、図２０に示すように、大型キャビティ２７の一部である両スタビライザ挿通溝３２内に進入するとともに、大型端子１２の両スタビライザ１６の後端面に対してそれぞれ係止されることで、大型端子１２の二次係止が図られる。このように各ランス２９，３３及びリテーナ１４によって各端子１２，１３が二重に係止されて強固に保持される。
【００４４】
＜ブラケットへの取付作業＞
リテーナ１４を本係止位置に移動させたら、コネクタ１０をブラケットＢに対して取り付ける作業を行う。ハウジング１１のブラケット取付部２４におけるブラケット収容室２４ａ内に後方からブラケットＢを挿入し、正規深さまで押し込むと、ロック孔Ｂａにブラケットロック片２４ｂが係止されることでその抜け止めが図られる。このとき、ブラケットＢに対してブラケット収容室２４ａ内で待ち受けていたアース端子１５のブラケット接触片１５ｄが弾性接触される。これにより、図２４に示すように、シールド電線ＳＷにおけるアース線である外部導体ＳＷ３が大型端子１２の外部導体接続部１２ｂ及びアース端子１５を介してブラケットＢに対して電気的に接続され、もってアースを取ることができる。
【００４５】
＜シールド電線の屈曲＞
ところで、上記した取付状態においてハウジング１１の後面から引き出されたシールド電線ＳＷ及び被覆電線Ｗには、引っ張り力が加えられる可能性がある。このとき、例えばシールド電線ＳＷが上向きに引っ張られて屈曲されると、シールド電線ＳＷが大型キャビティ周壁３７のうち端子接触片挿通溝４１の溝縁に干渉することが懸念される。シールド電線ＳＷが端子接触片挿通溝４１の溝縁に干渉した状態でさらに引っ張られると、シールド電線ＳＷが溝縁に食い込んでシールド電線ＳＷが損傷などを受ける可能性がある。ところが、本実施形態では、図２５に示すように、大型キャビティ周壁３７のうち端子接触片挿通溝４１が形成された上側部分には切り欠き３９が形成されているから、シールド電線ＳＷが屈曲されても切り欠き３９によって逃がされ、端子接触片挿通溝４１の溝縁に干渉し難くなっている。
【００４６】
以上説明したように本実施形態によれば、シールド電線ＳＷの端末に接続された略丸形の大型端子１２と、被覆電線Ｗの端末に接続された小型端子１３と、大型端子１２が挿入される略円形断面の大型キャビティ２７が２個並んで設けられるとともに、隣り合う両大型キャビティ２７の間の位置で且つ両大型キャビティ２７に対してその並び方向と直交する方向について中心をずらした位置に小型端子１３が挿入される小型キャビティ２８が設けられたハウジング１１とを備えている。このようにすれば、両大型キャビティ２７が略円形断面とされているので、隣り合う両大型キャビティ２７の間のスペースは、大型キャビティ２７の中心位置Ｃから並び方向と直交する方向に離れるほど広くなる。そのスペースを利用して小型キャビティ２８が設置されているから、仮に各キャビティを一列に並ぶ配置とした場合と比べると、大型キャビティ２７の並び方向についてハウジング１１を小型にすることができる。もってコネクタ１０全体の小型化を図ることができる。
【００４７】
また、大型キャビティ２７の内面のうち小型キャビティ２８側には、挿入される大型端子１２に弾性的に係止して抜け止めする大型端子用ランス２９が設けられるとともに、隣り合う両大型端子用ランス２９の間に小型キャビティ２８の一部が配されているから、隣り合う両大型キャビティ２７の間のスペースに小型キャビティ２８が収まりきらない場合でも、隣り合う両大型端子用ランス２９の間のスペースを利用して小型キャビティ２８の一部を設置できる。従って、仮に大型端子用ランス２９を大型キャビティ２７の内面における逆側に設置した場合と比較すると、小型化に一層好適となる。
【００４８】
また、ハウジング１１には、各キャビティ２７，２８の軸方向と交差する方向から各端子１２，１３を抜け止めするためのリテーナ１４が装着され、このリテーナ１４には、大型キャビティ２７内に進入して大型端子１２に係止される大型端子用係止部１４ｃと、小型キャビティ２８内に進入して小型端子１３に係止される小型端子用係止部１４ｂとが備えられており、リテーナ１４において大型端子用係止部１４ｃと小型端子用係止部１４ｂとが各キャビティ２７，２８の軸方向についてずれて配置されるとともに、大型端子用係止部１４ｃと小型端子用係止部１４ｂとにおけるハウジング１１に対する装着方向の手前側端部同士が基部１４ａによって互いに連結されているから、リテーナ１４の強度を高く保つことができる。
【００４９】
また、ハウジング１１のうち、大型キャビティ２７を取り囲む大型キャビティ周壁３７と、小型キャビティ２８を取り囲む小型キャビティ周壁３８とが互いに連結されており、大型キャビティ周壁３７のうち、シールド電線ＳＷの引き出し側端部であって小型キャビティ２８側とは反対側部分には、シールド電線ＳＷの屈曲を許容する切り欠き３９が形成されているから、大型端子１２に接続されたシールド電線ＳＷが屈曲されたときでも切り欠き３９によってその被覆電線Ｗが大型キャビティ周壁３７に干渉し難くなる。一方、大型キャビティ周壁３７のうち小型キャビティ周壁３８と連結される部分については従前通り確保されるから、ハウジング１１の強度を十分に確保することができる。
【００５０】
また、大型端子１２が、シールド電線ＳＷの外部導体ＳＷ３に接続される外部導体接続部１２ｂを備え、さらにはハウジング１１には、外部導体接続部１２ｂに対して接触可能な端子接触片１５ｂを備えたアース端子１５が装着されるようになっており、大型キャビティ周壁３７のうち、小型キャビティ２８側とは反対側部分には、端子接触片１５ｂが大型キャビティ２７内に進入するのを許容する端子接触片挿通溝４１が設けられているから、シールド電線ＳＷが屈曲されたときに切り欠き３９によって逃がされ、もってシールド電線ＳＷが端子接触片挿通溝４１の溝縁に食い込むような事態を極力回避することができる。
【００５１】
＜実施形態２＞
本発明の実施形態２を図２６ないし図３３によって説明する。この実施形態２では、上記した実施形態１に記載した雄型のコネクタと嵌合可能とされる雌型のコネクタ５０を示す。なお以下では、上下方向（高さ方向）については図２８及び図３０などを基準とする。
【００５２】
＜コネクタの概略＞
コネクタ５０は、図３０及び図３１に示すように、コネクタハウジング５１（以下、単にハウジング５１という）と、シールド電線ＳＷの端末に接続された雌型の大型端子５２と、被覆電線Ｗの端末に接続され上記大型端子５２と比べて外形が小さな雌型の小型端子５３と、各端子５２，５３を抜け止めするためのリテーナ（図示せず）とを備えている。なお以下では、ハウジング５１に対する各端子５２，５３の挿入方向を前方、その逆側（各電線ＳＷ，Ｗの引き出し方向）を後方とする。また、シールド電線ＳＷ及び被覆電線Ｗは、上記実施形態１と同様の構造であり、同一符号を用いるとともにその説明は省略する。
【００５３】
＜大型端子＞
大型端子５２は、図２６に示すように、正面（前方）から見て全体が略丸形（略円形）をなしており、導電性を有する金属製とされる。大型端子５２は、図３０に示すように、シールド電線ＳＷのうち内部導体ＳＷ１に対して接続される内部導体接続部５２ａと、内部導体接続部５２ａの外側に配され外部導体ＳＷ３に対して接続される外部導体接続部５２ｂと、内部導体接続部５２ａと外部導体接続部５２ｂとの間に介在して両者５２ａ，５２ｂを絶縁状態に保つための絶縁体５２ｃとを備える。外部導体接続部５２ｂと絶縁体５２ｃとの間には、相手となる雄型の大型端子の外部導体接続部の進入を許容する空間が確保されている。外部導体接続部５２ｂは、円筒型をなすとともに内部導体接続部５２ａの外側を全周にわたって取り囲む本体部５２ｂ１と、シールド電線ＳＷの端末において露出した外部導体ＳＷ３に圧着接続される電線接続部５２ｂ２とを前後に繋げた構成とされる。
【００５４】
本体部５２ｂ１のうち電線接続部５２ｂ２に連なる底板側には、上下に貫通するとともに大型端子用ランス２９が進入可能な開口部５４が設けられている。開口部５４の前縁には、大型端子用ランス２９が係止可能なランス係止部５５が設けられており、本体部５２ｂ１から下方へ突出するよう叩き出されている。開口部５４の両側縁には、下方へ突出するスタビライザ５６が一対対向状に設けられている。また、本体部５２ｂ１のうち電線接続部５２ｂ２に連なる底板側とは反対側部分の後端部には、段付き状をなすとともに図示しないリテーナが係止可能なリテーナ係止部５７が設けられている。また、電線接続部５２ｂ２は、前後に一対ずつかしめ片を備えている。また、内部導体接続部５２ａは、弾性接触片を備えており、この弾性接触片が相手となる雄型のコネクタの大型端子に導通接触可能とされる。
【００５５】
＜小型端子＞
小型端子５３は、図２７に示すように、正面（前方）から見て全体が縦長な略四角形（略矩形状、略角形）をなしており、導電性を有する金属製とされる。小型端子５３は、図３１に示すように、前後方向に沿って細長い略角筒状をなす本体部５３ａと、本体部５３ａから後方へ延出する電線接続部５３ｂとから構成される。
【００５６】
本体部５３ａのうち電線接続部５３ｂに連なる底板とは反対側（上側）の外壁における後端部には、スタビライザ５８が設けられている。スタビライザ５８は、外壁の端部から上方、すなわち大型端子５２のスタビライザ５６とは反対方向へ突出する板片状をなしている。スタビライザ５８が設置された外壁における前端部には、ランス係止部５９が設けられている。ランス係止部５９は、外壁の中央部に形成した切り欠きの前縁を叩き出すことで、上方、すなわち大型端子５２のランス係止部５５とは反対方向へ突出する突起状に形成されている。本体部５３ａの後端部における底壁とは反対側（外壁の後端部を含む）には、段付き状をなすとともに図示しないリテーナが係止可能なリテーナ係止部６０が設けられている。また、電線接続部５３ｂは、前後に一対ずつかしめ片を備えている。また、本体部５３ａ内には、相手となる雄型のコネクタの小型端子に導通接触可能な弾性接触片が設けられている。
【００５７】
＜ハウジング＞
ハウジング５１は、合成樹脂製とされ、図２８及び図２９に示すように、全体として略ブロック状に形成されており、その上面には雄型のコネクタ側に設けられたロックアームが係止可能なロック部５１ａが設けられている。
【００５８】
＜大型キャビティ及び小型キャビティ＞
このハウジング５１には、大型端子５２が収容される大型キャビティ６１が２個、小型端子５３が収容される小型キャビティ６２が１個、それぞれ設けられている。各キャビティ６１，６２は、ハウジング５１を前後に貫通して形成され、対応する各端子５２，５３を後方から個別に挿入可能とされる。大型キャビティ６１は、その断面形状が大型端子５２の外形に合わせて略円形（略丸形）とされている。一方、小型キャビティ６２は、その断面形状が小型端子５３の外形に合わせて縦長な略四角形（略矩形状、略角形）とされ、その外形寸法が大型キャビティ６１と比べて小さくなっている。
【００５９】
大型キャビティ６１は、ハウジング５１における上段側に２個幅方向に並んで形成されている。幅方向に並んだ両大型キャビティ６１の間のスペースは、両大型キャビティ６１が略円形断面とされているので、大型キャビティ６１の中心位置Ｃにおいて最も狭く、そこから上下に離れるほど広くなる傾向にある。そして、両大型キャビティ６１の間のスペースのうち、中心位置Ｃよりも広い領域を利用して小型キャビティ６２が設置されている。詳しくは、小型キャビティ６２は、ハウジング５１における下段側に形成され、その配置は隣り合う両大型キャビティ６１の間の位置で且つ両大型キャビティ６１の中心位置Ｃから下方、つまり大型キャビティ６１の並び方向と直交する方向にずれた位置とされる。
【００６０】
＜大型端子用ランス及びスタビライザ挿通溝＞
大型キャビティ６１の内面における下側、つまり小型キャビティ６２側には、図３０に示すように、大型端子５２に弾性的に係止してこれを抜け止め可能な大型端子用ランス６３が設けられている。大型端子用ランス６３は、大型キャビティ６１の内面下部の前端部における幅方向中央位置に設置され、片持ち状をなすとともに上下方向（大型端子５２の挿入方向と交差する方向）に沿って下方へ弾性変形可能とされる。大型端子用ランス６３の下側（撓み方向側）には、その撓み変形を許容する撓み空間６４が確保されており、さらにその撓み空間６４の下側には、大型端子用ランス６３が弾性限度を超えて撓み変形する手前の段階で大型端子用ランス６３に係合して過度撓みを規制する過度撓み規制部６５が形成されている。大型端子用ランス６３の幅寸法は、大型キャビティ６１の外径寸法よりも小さく設定されている。大型キャビティ６１の内面下部における大型端子用ランス６３の両側方には、大型端子５２の一部であるスタビライザ５６を挿通可能なスタビライザ挿通溝６６が一対形成されている。このスタビライザ挿通溝６６は、大型キャビティ６１の一部を構成するものであり、大型端子用ランス６３を挟んだ位置に幅方向に並んで配置されている。大型端子用ランス６３の下面は、スタビライザ挿通溝６６の下面よりも低い位置にあり、撓み空間６４及び過度撓み規制部６５はさらに低い位置にある。大型端子用ランス６３の幅寸法と、両スタビライザ挿通溝６６の幅寸法とを足し合わせた寸法は、大型キャビティ６１の外径寸法よりも小さくなっている。
【００６１】
＜小型端子用ランス及びスタビライザ挿通溝＞
小型キャビティ６２の内面における上側（大型キャビティ６１側）には、図３１に示すように、小型端子５３に弾性的に係止してこれを抜け止め可能な小型端子用ランス６７が設けられている。小型端子用ランス６７は、小型キャビティ６２の内面上部を部分的に切り欠くことで、両持ち状をなすとともに上下方向（小型端子５３の挿入方向と交差する方向）に沿って上方へ弾性変形可能とされる。この小型端子用ランス６７は、小型端子５３との係止部位を含む下部が一定幅とされるものの、上部については上側に行く（大型キャビティ６１の中心位置Ｃに接近する）ほど幅狭となる先細り形状とされる（図２８）。小型端子用ランス６７の上側（撓み方向側）には、その撓み変形を許容する撓み空間６８が確保されており、さらにその撓み空間６８の上側には、小型端子用ランス６７が弾性限度を超えて撓み変形する手前の段階で小型端子用ランス６７に係合して過度撓みを規制する過度撓み規制部６９が形成されている。小型端子用ランス６７の幅寸法は、小型キャビティ６２の外径寸法よりも小さく設定されている。小型キャビティ６２の内面上部における小型端子用ランス６７の一側方には、小型端子５３の一部であるスタビライザ５８を挿通可能なスタビライザ挿通溝７０が形成されている。このスタビライザ挿通溝７０は、小型キャビティ６２の一部を構成するものであり、小型キャビティ６２の上面における図２９に示す左側隅部に配されている。
【００６２】
＜小型キャビティの詳しい配置＞
小型キャビティ６２は、両大型キャビティ６１のスタビライザ挿通溝６６と上下方向について重なる配置となっている。詳しくは、小型キャビティ６２の上端部とそこから上方へ突出するスタビライザ挿通溝７０とが両大型キャビティ６１のスタビライザ挿通溝６６と幅方向について隣り合う位置関係にある。しかも、小型端子用ランス６７、その撓み空間６８及び過度撓み規制部６９についても、両大型キャビティ６１（スタビライザ挿通溝６６を含む）と幅方向について隣り合う位置関係にある。さらには、小型キャビティ６２は、両大型キャビティ６１における内寄り（ハウジング５１における中央寄り）のスタビライザ挿通溝６６の間に挟まれて配されるとともに、両大型キャビティ６１における内寄りの側端部と幅方向に重なる配置となっている。このように、小型キャビティ６２、小型端子用ランス６７、その撓み空間６８及び過度撓み規制部６９は、部分的に両大型キャビティ６１と上下方向及び幅方向について重なる位置に配されており、その重なった分だけハウジング５１の小型化に寄与している。言い換えると、小型キャビティ６２は、両大型キャビティ６１の間のスペースのうち最も狭くなる中心位置Ｃを避けた位置に配されている。
【００６３】
さらには、小型キャビティ６２のうち、大型キャビティ６１のスタビライザ挿通溝６６よりも下方へ突出する部分、つまり両大型キャビティ６１の間のスペースに収まりきらない部分は、幅方向について隣り合う両大型端子用ランス６３及び両撓み空間６４の間に配されており、これらと上下方向について重なる位置関係にある。つまり、両大型ランス及び両撓み空間６４の間のスペースを利用して小型キャビティ６２の一部を設置することができ、小型化に一層好適となる。
【００６４】
＜小型端子の取付作業＞
本実施形態は以上のような構造であり、続いてその作用を説明する。シールド電線ＳＷの端末に接続した両大型端子５２と、被覆電線Ｗの端末に接続した小型端子５３とをハウジング５１に収容する作業を行う。図３１に示すように、小型端子５３における底板を下側に向け、スタビライザ５８を上側に向けた姿勢で、小型端子５３を小型キャビティ６２内に後方から挿入すると、スタビライザ５８がスタビライザ挿通溝７０に挿通されることで、挿入動作が案内されて作業が円滑に進行する。小型端子５３が小型キャビティ６２内に所定深さまで挿入されると、小型端子５３によって小型端子用ランス６７が一旦上方に撓み変形されて撓み空間６８内に進入する。そして、小型端子５３が正規深さまで挿入されると、図３３に示すように、小型端子用ランス６７が復元するとともにランス係止部５９に係止されることで、小型端子５３の抜け止めが図られる。
【００６５】
＜大型端子の取付作業＞
一方、図３０に示すように、大型端子５２の外部導体接続部５２ｂの底板を下側に向け、両スタビライザ５６を下側に向けた姿勢で大型端子５２を大型キャビティ６１内に後方から挿入すると、両スタビライザ５６が両スタビライザ挿通溝６６に挿通されることで、挿入動作が案内されて作業が円滑に進行する。大型端子５２が大型キャビティ６１内に所定深さまで挿入されると、大型端子５２によって大型端子用ランス６３が一旦下方に撓み変形されて撓み空間６４内に進入する。そして、大型端子５２が正規深さまで挿入されると、図３２に示すように、大型端子用ランス６３が復元するとともにランス係止部５５に係止されることで、大型端子５２の抜け止めが図られる。
【００６６】
以上説明したように本実施形態によれば、小型キャビティ６２の内面のうち大型キャビティ６１側には、挿入される小型端子５３に弾性的に係止して抜け止めする小型端子用ランス６７が設けられるとともに、その撓み変形を許容する撓み空間６８が隣り合う両大型キャビティ６１の間に配されているから、隣り合う両大型キャビティ６１の間のスペースを利用して小型端子用ランス６７の撓み空間６８を設置でき、小型化にさらに好適となる。
【００６７】
＜他の実施形態＞
本発明は上記記述及び図面によって説明した実施形態に限定されるものではなく、例えば次のような実施形態も本発明の技術的範囲に含まれる。
（１）上記した各実施形態に示したもの以外にも、小型キャビティと両大型キャビティとの上下方向及び幅方向についての重なり範囲については適宜に変更可能である。
【００６８】
（２）上記した各実施形態では、小型端子として角形のものを示したが、小型端子として丸形のものを用いることも勿論可能である。
【００６９】
（３）上記した各実施形態では、大型端子がシールド電線に接続されるものを示したが、外部導体及び外部被覆を備えない通常の被覆電線（小型端子が接続された電線と同じタイプの電線）に大型端子を接続するようにしたものも勿論本発明に含まれる。
【００７０】
（４）上記した実施形態１では、アース端子を備えるコネクタを示したが、アース端子を備えない雄型のコネクタにも本発明は適用可能である。その場合、ハウジングからアース端子取付溝や端子接触片挿通溝などを省略することができる。また、同様にブラケットに取り付けられない雄側のコネクタにも本発明は適用可能である。
【００７１】
（５）上記した各実施形態では、大型キャビティが２個並ぶものを示したが、大型キャビティが３個以上並ぶものも本発明に含まれる。その場合、隣り合う各大型キャビティの間のスペースが複数形成されるので、それらのスペースにそれぞれ小型キャビティを設けることで小型キャビティを２個以上が設置でき、そのようなものも本発明に含まれる。
【００７２】
（６）上記した各実施形態では、２個の大型キャビティが幅方向に並ぶものを示したが、上下方向に並ぶものも本発明に含まれる。
【００７３】
（７）上記した各実施形態では、大型端子用ランスが大型キャビティの内面のうち小型キャビティ側に設けられた場合を示したが、大型端子用ランスが大型キャビティの内面のうち小型キャビティ側とは反対側に設けられたものも本発明に含まれる。
【００７４】
（８）上記した各実施形態では、大型端子用ランスを片持ち状としたものを示したが、両持ち状としてもよい。小型端子用ランスについても両持ち状に限らず、片持ち状としてもよい。
【００７５】
（９）上記した実施形態１では、リテーナにおいて大型端子用係止部が前寄りに、小型端子用係止部が後寄りに設置されたものを示したが、両係止部の前後の位置関係を逆にしたものも本発明に含まれる。また、リテーナを取り付けないコネクタにも本発明は適用可能である。
【図面の簡単な説明】
【００７７】
【図１】本発明の実施形態１に係る大型端子の正面図
【図２】小型端子の正面図
【図３】アース端子の背面図
【図４】アース端子の平面図
【図５】アース端子の側面図
【図６】ハウジングの正面図
【図７】ハウジングの背面図
【図８】ブラケットとハウジングの側面図
【図９】ハウジング、大型端子及びリテーナの図７のＡ−Ａ線断面図
【図１０】ハウジング、小型端子及びリテーナの図７のＢ−Ｂ線断面図
【図１１】リテーナの正面図
【図１２】リテーナの背面図
【図１３】リテーナの平面図
【図１４】リテーナを仮係止位置に装着した状態を示す図７のＡ−Ａ線断面図
【図１５】リテーナを仮係止位置に装着した状態を示す図７のＢ−Ｂ線断面図
【図１６】リテーナを仮係止位置に装着した状態を示す図９のＣ−Ｃ線断面図
【図１７】リテーナを仮係止位置に装着した状態を示す図７のＤ−Ｄ線断面図
【図１８】大型端子を挿入した状態を示す図７のＡ−Ａ線断面図
【図１９】小型端子を挿入した状態を示す図７のＢ−Ｂ線断面図
【図２０】リテーナを本係止位置に装着した状態を示す図７のＡ−Ａ線断面図
【図２１】リテーナを本係止位置に装着した状態を示す図７のＢ−Ｂ線断面図
【図２２】リテーナを本係止位置に装着した状態を示す図９のＣ−Ｃ線断面図
【図２３】リテーナを本係止位置に装着した状態を示す図７のＤ−Ｄ線断面図
【図２４】各端子及びブラケットを取り付けた状態を示すハウジングの背面図
【図２５】シールド電線を上向きに屈曲させた状態を示す図７のＡ−Ａ線断面図
【図２６】本発明の実施形態２に係る大型端子の正面図
【図２７】小型端子の正面図
【図２８】ハウジングの正面図
【図２９】ハウジングの背面図
【図３０】ハウジング及び大型端子の図２９のＥ−Ｅ線断面図
【図３１】ハウジング及び小型端子の図２９のＦ−Ｆ線断面図
【図３２】大型端子を挿入した状態を示す図２９のＥ−Ｅ線断面図
【図３３】小型端子を挿入した状態を示す図２９のＦ−Ｆ線断面図
【図３４】従来例のハウジングの正面図
【符号の説明】
【００７８】
１０，５０…コネクタ
１１，５１…ハウジング
１２，５２…大型端子
１２ｂ，５２ｂ…外部導体接続部
１３，５３…小型端子
１４…リテーナ
１４ａ…基部（補強部）
１４ｂ…小型端子用係止部
１４ｃ…大型端子用係止部
１５…アース端子
１５ｂ…端子接触片
２７，６１…大型キャビティ
２８，６２…小型キャビティ
２９，６３…大型端子用ランス
３３，６７…小型端子用ランス
３４，６８…撓み空間
３７…大型キャビティ周壁
３８…小型キャビティ周壁
３９…切り欠き
４１…端子接触片挿通溝
ＳＷ…シールド電線（電線）
ＳＷ１…内部導体
ＳＷ３…外部導体
Ｗ…被覆電線（電線）
【図１】
0005105170.tif 000002
【図２】
0005105170.tif 000003
【図３】
0005105170.tif 000004
【図４】
0005105170.tif 000005
【図５】
0005105170.tif 000006
【図６】
0005105170.tif 000007
【図７】
0005105170.tif 000008
【図８】
0005105170.tif 000009
【図９】
0005105170.tif 000010
【図１０】
0005105170.tif 000011
【図１１】
0005105170.tif 000012
【図１２】
0005105170.tif 000013
【図１３】
0005105170.tif 000014
【図１４】
0005105170.tif 000015
【図１５】
0005105170.tif 000016
【図１６】
0005105170.tif 000017
【図１７】
0005105170.tif 000018
【図１８】
0005105170.tif 000019
【図１９】
0005105170.tif 000020
【図２０】
0005105170.tif 000021
【図２１】
0005105170.tif 000022
【図２２】
0005105170.tif 000023
【図２３】
0005105170.tif 000024
【図２４】
0005105170.tif 000025
【図２５】
0005105170.tif 000026
【図２６】
0005105170.tif 000027
【図２７】
0005105170.tif 000028
【図２８】
0005105170.tif 000029
【図２９】
0005105170.tif 000030
【図３０】
0005105170.tif 000031
【図３１】
0005105170.tif 000032
【図３２】
0005105170.tif 000033
【図３３】
0005105170.tif 000034
【図３４】
0005105170.tif 000035